(57)【要約】【課題】ディジタル式写真処理装置において、テストプリントを用いることなくセットアップ処理を可能とする。【解決手段】テストフィルムに相当するリファレンス画像データをディジタル写真処理装置の内部のメモリであるリファレンス画像データ記憶部２１３に記憶しておき、画像データ補正部２１１によりリファレンス画像データにあらかじめ設定された標準補正処理を施し、補正したリファレンス画像データを用いてリファレンス画像をディスプレイ２０３上に表示し、表示されたリファレンス画像を評価し、入力部２０５を介して補正量を入力する。【選択図】　図２
2004072639.tif 000002
【特許請求の範囲】
【請求項１】
写真フィルム上に形成された画像を読み取り、ディタル画像データとして出力するスキャナ部と、記録媒体に記録された画像データを読み出す画像データ読み出し部と、前記スキャナ部から出力された画像データ又は前記画像データ読み出し部により読み出された画像データに所定の補正処理を施す画像データ補正部と、予め用意されているリファレンス画像データを記憶するリファレンス画像データ記憶部と、補正された画像データを用いてモニタ画面上に画像を出力する画像表示部と、補正された画像データを用いて印画紙片上を露光する露光部と、露光された印画紙片を現像処理する現像処理部とを具備し、
前記リファレンス画像データに前記画像データ補正部による所定の補正処理を施し、補正したリファレンス画像データを用いてリファレンス画像を前記モニタ画面上に表示し、表示されたリファレンス画像を評価して前記画像データ補正部による補正量を調節することを特徴とするディジタル式写真処理装置。
【発明の詳細な説明】
【０００１】
【発明の属する技術分野】
本発明は、ディジタル式写真処理装置における画像データ補正処理に関する。
【０００２】
【従来の技術】
近年、ディジタルカメラで撮影された画像及び写真フィルム上に形成された画像を同じシステムを用いて露光し、現像処理するディジタル式写真処理装置が実用化されている。ディジタル式写真処理装置において、写真フィルム上に形成された画像を用いて写真を現像処理する場合、まずスキャナで写真フィルム上の画像を読み取り、読み取った画像データにγ補正などの画像データ補正処理を施す。さらに、補正された画像データを用いてレーザ露光装置などを制御し、印画紙片上を１ライン又は数ラインずつ順に露光し、露光された印画紙片を現像処理して写真を得る。
【０００３】
このディジタル式写真処理装置は、概念上２つの部分に分けて考えることができる。第１の部分は、スキャナ、メモリカードなどの記録媒体から画像データを読み出すデータ読み出し装置、読み出した画像データに補正処理を施す画像データ補正部及び補正した画像データを用いてモニタ画面上に画像を表示する画像表示部などで構成された画像データ処理部である。これらは、事実上パーソナルコンピュータ及びその周辺機器と同等の機能を有し、明るい場所で操作することが可能である。第２の部分は、レーザ露光装置、印画紙の搬送機構及び処理液タンクなどで構成された画像形成部であり、これらは遮光された筐体内部に収納されている。画像データ処理部を、画像形成部を収納した筐体の外部に配置することも可能であるが、装置の組み立てやメンテナンスを考えると、画像データ処理部と画像形成部を分離した方が有利である。さらに、画像形成部は液体を取り扱うため、コンピュータなどの電子機器で構成された画像データ処理部から離れた場所に設置することが好ましい。従って、一般的には、ディジタル式写真処理装置は、上記画像データ処理部と画像形成部とを別体として構成し、両者間をケーブルで接続して画像データの送受信を行っている。
【０００４】
一方、従来から写真処理装置では、標準濃度に露光された画像、露光オーバーの画像及び露光アンダーの画像からなるテストフィルムを用いて実際に印画紙片を露光し、現像処理を行い、処理された写真を評価して、露光時のＲ（赤）、Ｇ（緑）、Ｂ（青）又はそれらの補色であるＹ（黄）、Ｍ（マゼンタ）、Ｃ（シアン）の各色の光量のバランスを調節するセットアップ処理が行われている。
【０００５】
写真フィルム上に形成された画像を印画紙片上に投影して露光するアナログ式写真処理装置では、セットアップ処理により、露光装置の光量、印画紙の特性及び処理液の劣化などをトータル的に補正することができ、実際に印画紙片に露光し、現像処理する必要があるものの、比較的簡単に調整することができる。
【０００６】
また、写真処理装置で処理される写真の中には、印画紙の四辺の縁部分に余白部分を形成したいわゆるウイズ・ボーダータイプの写真も含まれる。アナログ式写真処理装置では、写真フィルム又は印画紙片に四角の開口を有するマスクを被せることにより、ウイズ・ボーダータイプの写真を容易に処理することが可能である。一方、ディジタル式写真処理装置でウイズ・ボーダータイプの写真を処理する場合、入力された各画像データごとに、その画像データと余白用の四角い枠の画像のデータとを合成し、合成した画像データをレーザ露光装置に出力する必要があり、画像データの合成に時間を要するため、処理速度が低下する。
【０００７】
【発明が解決しようとする課題】
ディジタル式写真処理装置では、スキャナの撮像素子（ＣＣＤなど）から出力されるアナログ信号のディジタル信号への変換、ディジタル化された画像データのさらに撮像素子のＲ、Ｇ、Ｂ各色の感度特性に応じたγ補正、印画紙の各色の感度に応じたレーザ露光装置の各色のレーザビームのパワー調節など、様々な段階で信号の変換やデータの補正が行われている。従って、ディジタル式写真処理装置において、テストフィルムを用いたトータル的なセットアップ処理を行っても、アナログ式写真処理装置のように簡単に調整することはできず、レーザ露光装置のレーザビームのパワー調節などを別個に行わなければならない。
【０００８】
また、セットアップ処理に用いられるテストフィルムは、実際の写真フィルムに所定の条件でサンプル画像を露光し、現像処理したものであって、個々の写真処理装置に添付されている。従って、テストフィルム自体も量産する必要があり、一定のばらつきが存在し、全ての写真処理装置が同じ基準でセットアップされる訳ではない。また、写真処理装置を購入したユーザは、テストフィルムを紛失しないように保管する必要があり、管理が煩わしい。
【０００９】
さらに、セットアップ処理は、テストフィルムを用いて露光し、現像処理した写真をできるだけテストフィルムに対応する原画に近づけるように露光条件を補正するものであるが、写真処理装置を操作するオペレータの好みなどを考慮して仕上げたい場合もある。
【００１０】
本発明は、上記従来例の問題点を解決するためになされたものであり、テストプリントを用いることなくセットアップ処理を可能とするディジタル式写真処理装置を提供することを目的としている。
【００１１】
【課題を解決するための手段】
上記目的を達成するため、本発明のディジタル式写真処理装置は、写真フィルム上に形成された画像を読み取り、ディタル画像データとして出力するスキャナ部と、記録媒体に記録された画像データを読み出す画像データ読み出し部と、前記スキャナ部から出力された画像データ又は前記画像データ読み出し部により読み出された画像データに所定の補正処理を施す画像データ補正部と、予め用意されているリファレンス画像データを記憶するリファレンス画像データ記憶部と、補正された画像データを用いてモニタ画面上に画像を出力する画像表示部と、補正された画像データを用いて印画紙片上を露光する露光部と、露光された印画紙片を現像処理する現像処理部とを具備し、前記リファレンス画像データに前記画像データ補正部による所定の補正処理を施し、補正したリファレンス画像データを用いてリファレンス画像を前記モニタ画面上に表示し、表示されたリファレンス画像を評価して前記画像データ補正部による補正量を調節することを特徴とする。
【００１２】
このような構成によれば、テストフィルムに相当するリファレンス画像データがディジタル写真処理装置の内部のメモリであるリファレンス画像データ記憶部に記憶されているので、ユーザはテストフィルムを管理する煩わしさから解放される。また、リファレンス画像データは最初からディジタル化されているので、マスターのリファレンス画像データを量産される各ディジタル式写真処理装置にダウンロードさせることにより、全てのディジタル式写真処理装置を同じ基準でセットアップ処理することができる。さらに、非常に高精度に色調節されたモニタ画面上にリファレンス画像を再生するので、実際に印画紙片上に露光し、現像処理するまでもなく、画像データ補正部による補正の適否の判断が可能である。
【００１３】
【発明の実施の形態】
本発明のディジタル式写真処理装置の一実施形態について説明する。本実施形態に係るディジタル式写真処理装置の外観構成を図１に示す。ディジタル式写真処理装置とは、ディジタルカメラで撮像した画像を直接印画紙片上にプリントしたり、写真フィルム上に形成された画像を一旦スキャナで読み込み、印画紙片上にプリントするためのものである。
【００１４】
図１に示すように、ディジタル式写真処理装置は、ディジタルカメラやスキャナの撮像素子の各画素に対応する印画紙上の微小領域をＲ（赤）、Ｇ（緑）及びＢ（青）又はＹ（黄）、Ｍ（マゼンタ）及びＣ（シアン）の三原色のいずれかの光で露光し、露光された印画紙を現像処理することによって画像を形成する画像形成部１００と、写真フィルム上に形成された画像をスキャナで読み取ったりメモリカードなどから直接画像データを読み出し、入力されたディジタル画像データに所定の処理を施して画像形成部１００に出力する画像データ処理部２００で構成されている。
【００１５】
画像形成部１００は、それぞれ幅の異なる複数種類（例えば２種類）の長尺印画紙を巻回収納したマガジン１０１，１０２と、マガジン１０１又は１０２から引き出した印画紙を所定サイズに切断し、切断された印画紙片上に画像データ処理部２００から送信された画像を露光する露光部１０３と、露光された印画紙片を現像、漂白、定着及び安定化処理する現像処理部１０４と、現像された印画紙片を乾燥する乾燥部１０５と、乾燥された印画紙片を例えばフィルム単位に仕分けるソータ部１０６等で構成されている。
【００１６】
画像データ処理部２００は、メモリカードやＣＤ−Ｒ等の記録媒体に記録されている画像データを読み出すためのデータ読み出し装置２０１と、フィルムや印画紙上に形成された画像を読み取るためのスキャナ２０２と、読み込んだ画像をモニタ表示するためのディスプレイ２０３と、所定の画像処理やプリント処理の指示を入力するためのキーボード２０４と、プリントする画像データに所定の処理を施し、画像形成部１００に出力するための制御回路（図示せず）等で構成されている。
【００１７】
次に、上記ディジタル式写真処理装置のブロック構成を図２に示す。画像データ入力部２１０は、データ読み出し装置２０１及びスキャナ２０２などで構成され、メモリカード１に記録されているディジタル画像データをデータ読み出し装置２０１で直接読み出したり、フィルム２上の画像をスキャナ２０２で走査して画像データを得る。スキャナ２０２は、ＣＣＤなどの撮像装置及びＡ／Ｄコンバータを含み、撮像装置から出力されるアナログ信号をディジタル画像データに変換して出力する。
【００１８】
画像データ補正部２１１は、制御プログラムなどを記憶したＲＯＭ、所定のプログラムを実行するためのＣＰＵ、データを一時的に記憶するためのＲＡＭなどで構成され、入力された画像データのγ補正、色調補正、その他の補正処理を施す。ＲＯＭ又は後述するハードディスクなどの不揮発性メモリには、γ補正などに使用するデータ変換テーブル（ルックアップテーブル）などが記憶されており、入力された画像データに含まれる補正前の画素データを１つずつ参照しながらルックアップテーブルを検索し、ルックアップテーブルに記憶されているデータを読み出して補正前の画素データと置き換え、補正した画像データを作成する。
【００１９】
画像データ記憶部２１２は、ハードディスクなどの不揮発性メモリで構成され、入力されたままの画像データや補正された画像データなどを一時的に又は長期的に記憶する。また、リファレンス画像データ記憶部２１３もハードディスクなどで構成され、予め用意されているリファレンス画像データを記憶する。リファレンス画像データは、テストフィルムをスキャナで読み取り、所定の補正処理を施した画像データに相当し、このディジタル式写真処理装置のセットアップ処理を行う際に用いられる。
【００２０】
画像表示部２１４は、ディスプレイ２０３及び画像データの調整機構などを含み、画像形成部１００により形成される写真をできる限り忠実に再現できるように、色調やコントラストなどが高精度に調整されている。ディジタル式写真処理装置では、オペレータはディスプレイ２０３に表示される画像を見ただけで、画像形成部１００により形成される写真の結果を予測することができる。
【００２１】
入力部２１５は、キーボード２０４及びディスプレイ２０３に補正量入力画面を表示するためのプログラムを記憶したＲＯＭ、画面表示プログラムを実行するためのＣＰＵ、データを一時的に記憶するためのＲＡＭなどで構成されている。ディスプレイ２０３に表示されている画像の色調やコントラストなどを微調整したい場合、ディスプレイ２０３上に画像と共に表示されている補正量入力画面の指示に従って、オペレータはキーボード２０４を操作して、画像データの補正量を入力する。
【００２２】
補正画像データ出力部２１６は、入出力インターフェースなどで構成され、画像データ補正部２１１により補正された画像データを、画像形成部１００の露光部１０３に対して出力する。
【００２３】
画像形成部１００の露光部１０３は、レーザ露光装置１１０の他、例えばレーザ露光装置及び補正された画像データをさらにレーザ露光装置１１０を制御するための制御データに変換するためのデータ変換部１１１などを含む。データ変換部１１１は、印画紙や処理液の特性に合わせてレーザ露光装置１１０から出力される各色のレーザビームのパワーを調節するための複数のルックアップテーブルを具備しており、ルックアップテーブルを選択する場合、リファレンス画像データを用いて印画紙片を実際に露光及び現像処理して、適否を判断する。
【００２４】
次に、本実施形態のディジタル式写真処理装置におけるセットアップ処理について、図３に示すフローチャートを参照しつつ説明する。
【００２５】
先ず、キーボード２０４に割り当てられているセットアップ動作開始キーを操作すると、画像データ補正部２１１はリファレンス画像データ記憶部２１３からリファレンス画像データを読み出し（ステップＳ１）、さらにＲＯＭなどに記憶されている標準補正量データを読み出し（ステップＳ２）、リファレンス画像データに標準的な画像補正を行う（ステップＳ３）。リファレンス画像データが補正されると、画像表示部２１４は、補正されたレファレンス画像データを用いてディスプレイ２０３上にレファレンス画像を表示する（ステップＳ４）。なお、リファレンス画像データには、標準濃度に露光された画像、露光オーバーの画像及び露光アンダーの条件で撮影された画像データが含まれ、それぞれについてこのセットアップ処理が行われる。
【００２６】
標準補正量データとは、このディジタル式写真処理装置の出荷時に、本出願人などの写真処理装置の製造企業により用意されている画像補正用のデータであって、ディスプレイ２０３に表示される画像がリファレンス画像データのもととなる原画にできる限り忠実に再現されるように、リファレンス画像データを補正するためのデータである。リファレンス画像データ及び標準補正量データはそれぞれ写真処理装置の製造企業が好ましいと判断したデータであって、必ずしもユーザである写真処理装置のオペレータの好みと一致するとは限らない。
【００２７】
そこで、オペレータは、ディスプレイ２０３上に表示されたレファレンス画像を見て、その画質、例えば色調やコントラストなどが良好であるか否かを判断する（ステップＳ５）。
【００２８】
ディスプレイ２０３上に表示されたリファレンス画像の画質に満足していない場合（ステップＳ５でＮＯ）、オペレータがキーボード２０４に割り当てられている補正量入力画面表示キーを操作すると、入力部２１５は画面表示プログラムを実行し、ディスプレイ２０３に補正量入力画面を表示する（ステップＳ６）。補正量入力画面が表示されると、オペレータは、画面表示に従って画像データの補正量を入力する（ステップＳ７）。補正量入力画面は、一般的なディスプレイ装置の画面調節と同様に、ディスプレイ２０３上にカラーバランスなどが表示され、キーボード２０４の操作に応じてその表示が変更され、補正量が入力される。一般的なディスプレイ装置の場合、画像データは補正されず（固定したまま）、ディスプレイ装置の表示用のルックアップテーブルのデータが補正される。これに対して、リファレンス画像データの補正の場合は、表示部２１４に含まれるディスプレイ２０３の表示用のルックアップテーブルのデータを固定したまま、入力された補正量を用いて標準補正量データ又はリファレンス画像データが補正される。
【００２９】
補正量が入力されると、補正後の補正量データを用いてリファレンス画像データを補正し（ステップＳ３）、補正したリファレンス画像をディスプレイ２０３に再表示する（ステップＳ４）。オペレータが満足するまで、画質の良否判断（ステップＳ５）、補正量入力画面の表示（ステップＳ６）、補正量入力（ステップＳ７）、リファレンス画像データの再補正（ステップＳ３）、補正したリファレンス画像の再表示（ステップＳ４）を繰り返す。
【００３０】
オペレータが満足する画質のリファレンス画像が得られると（ステップＳ５でＹＥＳ）、その補正後のリファレンス画像データを新たなリファレンス画像データとしてリファレンス画像データ記憶部２１３に記憶し（ステップＳ８）、セットアップ処理を終了する。以後、このユーザに関しては、補正されたリファレンス画像データを用いて、その他の調整処理、例えば画像形成部１００のレーザ露光装置１１０の調整などが行われる。なお、上記実施形態ではリファレンス画像データを、高精細度に色調節されたモニタを前提にしたものであるが、アナログ式写真処理機で使われていたセットアップ手法の様に、リファレンス画像データを実際のプリント画像として、それを参照して補正量等を参照するものであってもよい。
【００３１】
次に、本実施形態のディジタル式写真処理装置におけるウイズ・ボーダータイプの写真処理について、図４〜図６を参照しつつ説明する。
【００３２】
図４は、従来からディジタル式写真処理装置で行われているウイズ・ボーダータイプの写真処理の概念を示す図である。従来からのウイズ・ボーダータイプの写真処理によれば、各プリントサイズに応じて、写真の周囲に設けられる余白（四角い枠）に相当する枠データ５１を画像データ記憶部２１２などに記憶しておき、顧客からウイズ・ボーダータイプの指示があった場合に、画像データ補正部２１１は、所定の処理を施した画像データ５０に枠データ５１を合成してウイズ・ボーダータイプの画像データ５２として画像形成部１００に出力する。この場合、画像の周辺部近傍の画像データが枠データに置き換えられてしまい、その部分の画像情報が失われる。また、あらかじめ設定されているサイズの枠しか設定することはできず、例えば証明写真のように１枚のプリントに複数画像を形成することはできない。
【００３３】
図５は、本実施形態のディジタル式写真処理装置におけるウイズ・ボーダータイプの写真処理の概念を示す図である。本実施形態のウイズ・ボーダータイプの写真処理によれば、各プリントサイズに応じて、あらかじめ全て余白に相当するダミーデータ（ダミー領域）６０を用意しておき、顧客からウイズ・ボーダータイプの指示があった場合に、画像データ補正部２１１は、所定の処理及び縮小処理を施した画像データ６１及び／又は６２をダミーデータ６０の所定の位置又は任意の位置に貼り付けてウイズ・ボーダータイプの画像データ６３として画像形成部１００に出力する。この場合、画像を縮小して貼り付けるので、画像の周辺部分近傍の画像データは枠データに置き換えられず、その部分の画像情報が失われることはない。また、縮小率及び貼り付け位置を任意設定可能とすることにより、ディスプレイ２０３の表示を見ながら、オペレータがキーボード２０４などを操作して、１枚分のプリントサイズに複数の画像を貼り付けることができる。
【００３４】
本実施形態のディジタル式写真処理装置におけるウイズ・ボーダータイプの写真処理のフローチャートを図６に示す。
【００３５】
顧客からのプリントオーダーが入ると、画像データ補正部２１１は、そのオーダーに係る画像データを画像データ記憶部２１２から読み出す（ステップＳ５１）。なお、これに先立って、顧客がメモリカード１を持ち込んだ場合はデータ読出装置２０１によりメモリカード１に記憶されている画像データを読み出し、画像データ記憶部２１２に記憶しておく。また、顧客がフィルム２を持ち込んだ場合は、変造処理されたフィルム２をスキャナ２０２で読み取り、所定の処理を施した画像データを画像データ記憶部２１２に記憶しておく。
【００３６】
画像データ又は注文書には、プリントサイズや枚数の他にウイズ・ボーダータイプかボーダーレスタイプかなどの写真の仕上がりが指定されているので、画像データ補正部２１２又はオペレータは、顧客の指定がウイズ・ボーダータイプかボーダーレスタイプかを判断する（ステップＳ５２）。指定がボーダーレスタイプである場合、通常のボーダーレスプリント処理を行う（ステップＳ６４）。
【００３７】
顧客の指定がウイズ・ボーダータイプの場合、画像データ補正部２１２又はオペレータは、さらに指定が通常のウイズ・ボーダータイプ、すなわち４辺均等な枠付けか否かを判断する（ステップＳ５３）。指定が通常のウイズ・ボーダータイプの場合、プリントサイズに応じて枠の寸法や画像の縮小率が決められているので、画像データ補正部２１１はプリントされる画像があらかじめ決められた倍率となるように画像データの間引きを行う（ステップＳ６０）。なお、ここでいう縮小率とは、ボーダーレスタイプの画像に比べて枠の分だけ画像を縮小するという意味での縮小率であり、原板であるフィルムサイズと比べた画像の縮小ではない。
【００３８】
画像の縮小処理が完了すると、画像表示部２１４は、ディスプレイ２０３上に、プリントサイズに対応するダミー領域を表示すると共に縮小された画像をダミー領域の中央に貼り付けた形で表示する（Ｓ６１）。そして、画像データ補正部２１１は、ディスプレイ２０３上に表示されているダミー領域及びその上に貼り付けられた縮小処理された画像に対応する画像データを編集して作成し、補正画像データ出力部２１６を介して画像形成部１００の露光部１０３に出力する（ステップＳ６２）。この場合、ダミー領域のうち、画像が貼り付けられていない部分は、余白又は枠に相当する部分であり、例えば印画紙片の地色をそのまま生かすべく、レーザ露光装置１１０によって露光されないように、例えばレーザビームを出力しない２５６ビット中の「０」データとして出力される。
【００３９】
一方、顧客の指示が、例えば証明写真のような通常のウイズ・ボーダータイプでない場合（ステップＳ５３でＮＯ）、画像表示部２１４は、ディスプレイ２０３上に、プリントサイズに応じたダミー領域を表示すると共に縮小されていない画像をダミー領域に重ねて表示する（Ｓ５４）。証明写真のようにあらかじめ写真のサイズが決められている場合でも、ある程度トリミングなどの処理は必要であるので、オペレータはキーボード２０４を操作してディスプレイ２０３上に表示されている画像の縮小を指示する。画像データ補正部２１１は、キーボード２０４を含む入力部２１５からの入力信号（例えばパルス信号）に応じて、画像データを間引きながら画像の縮小処理（例えば図５の画像６１）を行う（ステップＳ５５）。
【００４０】
画像の縮小処理が完了すると、オペレータは、キーボード２０４を操作して縮小された画像をダミー領域上の所定の位置又は任意の位置に移動させ、画像を貼り付ける（ステップＳ５６）。そして、オペレータは、ディスプレイ２０３上に表示されている画像を見ながら、画像の縮小率や貼り付け位置が適当か否かを判断する（ステップＳ５７）。これらが適当でない場合は、ステップＳ５４に戻って同じ手順をやり直す。
【００４１】
一方、画像の縮小率や貼り付け位置が適当である場合（ステップＳ５７でＹＥＳ）、顧客のオーダーが１枚のプリント中に２以上の画像を露光するものであるか否かを判断する（ステップＳ５８）。２以上の画像を露光する場合（例えば図５の画像６１と６２など）、ステップＳ５４に戻って次の画像の縮小及び貼り付け処理を行う。顧客のオーダーが１枚のプリント中に１の画像のみを露光するものである場合及び指示された枚数の画像の貼り付けが完了した場合（ステップＳ５８でＮＯ）、画像データ補正部２１１は、ディスプレイ２０３上に表示されているダミー領域及びその上に貼り付けられた縮小画像に対応する画像データを編集して作成し、これを補正画像データ出力部２１６を介して画像形成部１００の露光部１０３に出力する（ステップＳ５９）。
【００４２】
画像データ処理部２００の補正画像データ出力部２１６から出力された段階で、補正された画像データには縮小された画像及び余白又は枠に相当するデータが含まれているので、画像データ形成部１００の露光部１０３は画像データ処理部２００から出力される補正された画像データをそのまま用いてレーザ露光装置１１０を制御すればよい。
【００４３】
なお、上記実施形態では、露光装置としてレーザ露光装置を用いた例を示したが、本発明はこれに限定されるものではなく、ＬＥＤアレイなどその他のディジタル式露光装置を用いた写真処理装置に適用できることはいうまでもない。
【００４４】
【発明の効果】
以上説明したように、本発明のディジタル式写真処理装置によれば、テストフィルムに相当するリファレンス画像データをディジタル写真処理装置の内部のメモリであるリファレンス画像データ記憶部に記憶し、リファレンス画像データに所定の補正処理を施し、補正したリファレンス画像データを用いてリファレンス画像をモニタ画面上に表示し、表示されたリファレンス画像を評価して補正量を調節するので、ユーザはテストフィルムを管理する煩わしさから解放される。また、リファレンス画像データは最初からディジタル化されているので、マスターのリファレンス画像データを量産される各ディジタル式写真処理装置にダウンロードさせることにより、全てのディジタル式写真処理装置を同じ基準でセットアップ処理することができる。さらに、非常に高精度に色調節されたモニタ画面上にリファレンス画像を再生するので、実際に印画紙片上に露光し、現像処理するまでもなく、画像データ補正部による補正の適否の判断が可能である。
【図面の簡単な説明】
【図１】本発明の一実施形態に係るディジタル式写真処理装置の外観構成を示す図である。
【図２】上記ディジタル式写真処理装置のブロック構成を示す図である。
【図３】上記一実施形態におけるセットアップ処理を示すフローチャートである。
【図４】従来からディジタル式写真処理装置で行われているウイズ・ボーダータイプの写真処理の概念を示す図である。
【図５】上記一実施形態におけるウイズ・ボーダータイプの写真処理の概念を示す図である。
【図６】上記一実施形態におけるウイズ・ボーダータイプの写真処理を示すフローチャートである。
【符号の説明】
１：メモリカード
２：写真フィルム
６０：ダミーデータ（ダミー領域）
６１：（縮小された）画像データ
６２：（縮小された）画像データ
６３：ウイズ・ボーダータイプの画像データ
１００：画像形成部
１０３：露光部
１０４：現像処理部
１１０：レーザ露光装置
１１１：データ変換部
２００：画像データ処理部
２０１：データ読み出し装置
２０２：スキャナ
２０３：ディスプレイ
２０４：キーボード
２１０：画像データ入力部
２１１：画像データ補正部
２１２：画像データ記憶部
２１３：リファレンス画像データ記憶部
２１４：画像表示部
２１５：入力部
２１６：補正画像データ出力部
【図１】
2004072639.tif 000003
【図２】
2004072639.tif 000004
【図３】
2004072639.tif 000005
【図４】
2004072639.tif 000006
【図５】
2004072639.tif 000007
【図６】
2004072639.tif 000008